(57)【特許請求の範囲】
【請求項１】
複数の異なる無線通信システムと、前記無線通信システムと通信を行う移動端末の位置登録を行う位置登録装置とを有する通信ネットワークシステムにおいて、
前記移動端末は、
前記各無線通信システムから受信する情報から前記各無線通信システムの位置登録エリアに固有の第１の識別情報を抽出する第１の識別情報抽出部と、
前記第１の識別情報と、通信ネットワークシステムが管理する位置登録エリアの第２の識別情報の対応関係に関する対応情報を記憶する第１の記憶部と、
前記識別情報抽出部が抽出した第１の識別情報と前記第１の記憶部が記憶する対応情報とに基づいて前記第１の識別情報に対応する前記第２の識別情報を抽出するとともに、移動によって前記第２の識別情報が変更される場合に前記位置登録装置に新たな位置登録を要求する位置登録要求情報を送信する位置登録要求部と、
を備えることを特徴とする通信ネットワークシステム。
【請求項２】
前記位置登録装置は、前記対応情報を記憶する第２の記憶部を備え、
前記移動端末は、前記位置登録装置に前記対応情報を要求して前記位置登録装置から前記対応情報を取得する対応情報取得部をさらに備え、
前記第１の記憶部は、前記対応情報取得部が取得した対応情報を記憶することを特徴とする請求項１に記載の通信ネットワークシステム。
【請求項３】
前記対応情報取得部は、新たな前記対応情報を取得するよう前記位置登録装置から指示情報を受信すると、前記位置登録装置に前記対応情報を要求して前記位置登録装置から新たな前記対応情報を取得することを特徴とする請求項２に記載の通信ネットワークシステム。
【請求項４】
前記対応情報取得部は、前記第１の記憶部が記憶する対応情報に前記無線通信システムから受信した前記第１の識別情報が含まれない場合に、前記位置登録装置に前記対応情報を要求して前記位置登録装置から新たな前記対応情報を取得することを特徴とする請求項２に記載の通信ネットワークシステム。
【請求項５】
前記位置登録装置は、前記移動端末毎の通信の設定に関する端末設定情報を管理する端末管理部をさらに備え、
前記端末管理部は、前記移動端末から前記対応情報の要求を受けると前記端末設定情報に基づいて前記移動端末毎の新たな前記対応情報を生成するとともに、生成した新たな前記対応情報を前記対応情報の要求をした前記移動端末に送信することを特徴とする請求項２に記載の通信ネットワークシステム。
【請求項６】
前記端末管理部は、前記無線通信システムの無線インタフェースの数および無線インタフェースの種類に基づいて前記端末設定情報を管理することを特徴とする請求項５に記載の通信ネットワークシステム。
【請求項７】
前記位置登録装置は、前記無線通信システム毎の負荷状態に関する負荷状態情報を管理する負荷管理部をさらに備え、
前記負荷管理部は、前記移動端末から前記対応情報の要求を受けると前記負荷状態情報に基づいて前記移動端末毎の新たな前記対応情報を生成するとともに、生成した新たな前記対応情報を前記対応情報の要求をした前記移動端末に送信することを特徴とする請求項２に記載の通信ネットワークシステム。
【請求項８】
前記対応情報は、前記無線通信システムのサービスエリアが他の無線通信システムのサービスエリアを包含する場合に、包含される無線通信システムの第２の識別情報が、包含する無線通信システムの第２の識別情報と同一であることを特徴とする請求項１に記載の通信ネットワークシステム。
【請求項９】
前記移動端末は、
該移動端末の移動速度を測定する速度測定部と、
前記速度測定部の測定結果に基づいて、捕捉する無線通信システムを選択する第１の選択部と、
をさらに備えることを特徴とする請求項８に記載の通信ネットワークシステム。
【請求項１０】
前記第１の選択部は、前記測定結果が所定の速度より速い場合に、前記無線通信システムの中から前記無線通信システムのサービスエリアが広い無線通信システムを選択することを特徴とする請求項９に記載の通信ネットワークシステム。
【請求項１１】
前記移動端末は、
待ち受け状態のアプリケーションが必要とする帯域の有無に応じて、捕捉する無線通信システムを選択する第２の選択部をさらに備えることを特徴とする請求項８に記載の通信ネットワークシステム。
【請求項１２】
前記第２の選択部は、前記待ち受け状態のアプリケーションが帯域を必要とする場合に、前記無線通信システムの中から前記無線通信システムの帯域が大きい無線通信システムを選択することを特徴とする請求項１１に記載の通信ネットワークシステム。
【請求項１３】
複数の異なる無線通信システムと通信を行うとともに、前記複数の異なる無線通信システムを有する通信ネットワークシステム内で位置登録を行いながら移動する移動端末において、
前記各無線通信システムから受信する情報から前記各無線通信システムの位置登録エリアに固有の第１の識別情報を抽出する識別情報抽出部と、
前記第１の識別情報と、通信ネットワークシステムが管理する位置登録エリアの第２の識別情報の対応関係に関する対応情報を記憶する記憶部と、
前記識別情報抽出部が抽出した第１の識別情報と前記第１の記憶部が記憶する対応情報とに基づいて前記第１の識別情報に対応する前記第２の識別情報を抽出するとともに、移動によって前記第２の識別情報が変更される場合に前記位置登録装置に新たな位置登録を要求する位置登録要求情報を送信する位置登録要求部と、
を備えることを特徴とする移動端末。
【発明の詳細な説明】
【技術分野】
【０００１】
本発明は、異種無線アクセスシステムを統合する通信ネットワークシステムおよび移動端末に関するものである。
【背景技術】
【０００２】
移動体通信においては音声通信だけでなくインターネットへのアクセスや電子メール、画像配信／通信等が比較的容易に行なえるため、その利便性から大多数の人々が利用するところとなり、近年、高速／大容量化に向けて更なる発展が期待されている。【０００３】
第２世代（２Ｇ）、第３世代（３Ｇ）のセルラーシステムや無線ＬＡＮ、更にはＢｌｕｅｔｏｏｔｈ（登録商標）、ＵＷＢ（Ultra Wide Band）など無線アクセスシステムが多様な広がりを見せる中で、Ｂｅｙｏｎｄ３Ｇ（４Ｇ）の無線ネットワークとして異種無線アクセスシステムを統合して、１つの移動体通信ネットワークとして制御する方式がある。【０００４】
特許文献１に記載の統合移動通信システムは、端末の端末ＩＤ（Identification）とロケーションＩＤとを関連付けて格納するデータベースを有している。移動通信管理部が任意のプラットフォーム上にある端末から発せられた位置登録用のメッセージを受信し、対応するデータベースに基づいてアドレス変換し、変換されたアドレスに基づいて他プラットフォームの移動通信データベースにアクセスすることにより、異なるプラットフォーム間の通信を行なっている。また、移動管理ゲートウェイは、発呼側端末からのメッセージをモニタリングして、そのメッセージに移動先を示す適切なロケーションＩＤを与えている。【０００５】
【特許文献１】特開２００１−２８５３７２号公報
【発明の開示】
【発明が解決しようとする課題】
【０００６】
上記従来の技術では、異なるプラットフォーム間の相互接続をはかるためアドレス変換によってルーティングを行なっているが、異なるプラットフォーム間の相互接続をゲートウェイレベルで結合しているため、位置登録エリア自体はプラットフォームに依存したものとなり、個々のプラットフォーム毎に位置登録を行なわなければならない。このため、プラットフォーム間に渡って位置登録エリアを構成することが出来ないという問題があった。【０００７】
本発明は、上記に鑑みてなされたものであって、個々の無線システムに依存せず、かつ個々の無線システムに変更を与えることなく複数の無線システム間に渡った位置登録エリアを構成可能な通信ネットワークシステムおよび移動端末を得ることを目的とする。
【課題を解決するための手段】
【０００８】
上述した課題を解決し、目的を達成するために、本発明は、複数の異なる無線通信システムと、前記無線通信システムと通信を行う移動端末の位置登録を行う位置登録装置とを有する通信ネットワークシステムにおいて、前記移動端末は、前記各無線通信システムから受信する情報から前記各無線通信システムの位置登録エリアに固有の第１の識別情報を抽出する第１の識別情報抽出部と、前記第１の識別情報と、通信ネットワークシステムが管理する位置登録エリアの第２の識別情報の対応関係に関する対応情報を記憶する第１の記憶部と、前記識別情報抽出部が抽出した第１の識別情報と前記第１の記憶部が記憶する対応情報とに基づいて前記第１の識別情報に対応する前記第２の識別情報を抽出するとともに、移動によって前記第２の識別情報が変更される場合に前記位置登録装置に新たな位置登録を要求する位置登録要求情報を送信する位置登録要求部と、を備えることを特徴とする。
【発明の効果】
【０００９】
本発明にかかる無線通信ネットワークシステムは、各無線通信システムの位置登録エリアに固有の第１の識別情報と通信ネットワークシステムが管理する位置登録エリアの第２の識別情報の対応関係に基づいて、第１の識別情報から第２の識別情報を抽出し、移動によって第２の識別情報が変更される場合に位置登録装置に新たな位置登録を行うので、オーバレイした無線通信システム間に亘った位置登録エリアを識別することが可能となり、通信ネットワークシステムが異種無線通信システム間に亘った柔軟な位置登録エリアを構成することが可能となる。したがって、無線通信ネットワークシステムは、異種無線通信システム間に亘った柔軟な位置登録エリアで移動端末の位置登録を行うことが可能になるという効果を奏する。
【図面の簡単な説明】
【００１０】
【図１】図１は、実施の形態１に係る通信ネットワークシステムの構成を示すシステム構成図である。
【図２】図２は、実施の形態１に係る通信ネットワークシステムのＬＡとＶＬＡの関係を説明するための図である。
【図３】図３は、実施の形態１に係る移動端末の構成を示すブロック図である。
【図４】図４は、実施の形態１に係る通信ネットワークシステムの動作手順を示す図である。
【図５】図５は、実施の形態２に係る移動端末の構成を示すブロック図である。
【図６】図６は、実施の形態２に係るページングエージェントの構成を示すブロック図である。
【図７】図７は、実施の形態２に係る通信ネットワークシステムの動作手順を示す図である。
【図８】図８は、実施の形態３に係る移動端末の構成を示すブロック図である。
【図９】図９は、実施の形態３に係る通信ネットワークシステムの動作手順を示す図である。
【図１０】図１０は、実施の形態４に係るページングエージェントの構成を示すブロック図である。
【図１１】図１１は、実施の形態４に係る通信ネットワークシステムの動作手順を示す図である。
【図１２】図１２は、実施の形態５に係るページングエージェントの構成を示すブロック図である。
【図１３】図１３は、実施の形態５に係る通信ネットワークシステムの動作手順を示す図である。
【図１４】図１４は、実施の形態６に係る通信ネットワークシステムのＬＡとＶＬＡの関係を説明するための図である。
【図１５】図１５は、実施の形態６に係る通信ネットワークシステムの動作手順を示す図である。
【図１６】図１６は、実施の形態７に係る通信ネットワークシステムのＶＬＡを説明するための図である。
【図１７】図１７は、実施の形態７に係る移動端末の構成を示すブロック図である。
【図１８】図１８は、実施の形態７に係る通信ネットワークシステムの動作手順を示す図である。
【図１９】図１９は、実施の形態８に係る移動端末の構成を示すブロック図である。
【図２０】図２０は、実施の形態８に係る通信ネットワークシステムの動作手順を示す図である。
【符号の説明】
【００１１】
１  ゲートウェイルータ
２  通信端末
３  ゲートウェイスイッチ
４  ページングエージェント
５  バッファリングサーバ
６  外部ネットワーク
１１，４１  通信Ｉ／Ｆ部
１２，４２  記憶部
１３  識別情報抽出部
１４  識別情報比較部
１５  情報取得部
１６  変更情報認識部
１７  速度測定部
１８  無線システム選択部
１９，４９  制御部
４３  情報提供部
４４  能力管理部
４５  負荷状態管理部
６１〜６４  ブランチスイッチ
７１〜７４  エッジスイッチ
８１〜８４  無線基地局
９１〜９４  アクセスポイント
１０１，１０２  移動端末
１１２，１２２，１２１，１２２，１５０，１６１〜１６４  位置登録エリア
１３０，１３１  識別情報リスト
【発明を実施するための最良の形態】
【００１２】
以下に、本発明にかかる通信ネットワークシステムおよび移動端末の実施の形態を図面に基づいて詳細に説明する。なお、この実施の形態によりこの発明が限定されるものではない。【００１３】
実施の形態１．
図１〜図４に従って本発明の実施の形態１について説明する。実施の形態１においては、個々の無線システムに固有の位置登録識別子（第１の識別情報）を、異種無線システムを統合する通信ネットワークシステム（異種無線統合型ネットワーク）が管理する位置登録識別子（第２の識別情報）に変換するリスト（対応情報）を移動端末が備える。【００１４】
図１は、実施の形態１に係る通信ネットワークシステムの構成を示すシステム構成図である。通信ネットワークシステムは、ゲートウェイルータ１、通信端末２、ゲートウェイスイッチ３、ページングエージェント（位置登録装置）４、バッファリングサーバ５、外部ネットワーク６、ブランチスイッチ６１〜６４、エッジスイッチ７１〜７４、無線基地局８１〜８４、アクセスポイント９１〜９４、移動端末１０１，１０２からなる。【００１５】
外部ネットワーク６は、インターネットやイントラネット等の通信ネットワークである。外部ネットワーク６には、通信端末２やゲートウェイルータ１が接続されている。ゲートウェイルータ１は、外部ネットワーク６とＩＰ（Internet  Protocol）レイヤで相互接続（ルーティング）を行なう。【００１６】
通信端末２は、外部ネットワーク６に接続して通信を行うパーソナルコンピュータ、携帯電話等の端末である。通信端末２は外部ネットワーク６、ゲートウェイスイッチ３等を介して移動端末１０１，１０２とＩＰパケットによる通信を行う。【００１７】
ページングエージェント４は、移動端末１０１，１０２の待ち受け状態を管理（ページング）する。ページングエージェント４は、移動端末１０１，１０２が待ち受け状態に遷移した場合に、移動端末１０１、１０２宛てのレイヤ２フレームを一時的に蓄積（記憶）するようゲートウェイスイッチ３に要求する。【００１８】
ゲートウェイスイッチ３は、ゲートウェイルータ１、バッファリングサーバ５、ページングエージェント４、ブランチスイッチ６１，６２に接続され、通信ネットワークシステム全体の移動端末（移動端末１０１，１０２）の位置に関する位置情報を管理する。ゲートウェイスイッチ３は、待ち受け状態に遷移した移動端末１０１，１０２宛てにレイヤ２フレームが送られてきた場合に、このレイヤ２フレームをバッファリングサーバ５に転送する。【００１９】
バッファリングサーバ５は、ゲートウェイスイッチ３から転送されてきた移動端末１０１，１０２宛てのレイヤ２フレームを一時的に蓄積するとともに、レイヤ２フレームが送られてきたことをページングエージェント４に対して通知する。バッファリングサーバ５は、ページングエージェント４からレイヤ２フレームの転送指示があると、一時的に蓄積していたレイヤ２フレームをゲートウェイスイッチ３に転送する。【００２０】
ブランチスイッチ６１〜６４、エッジスイッチ７１〜７４は、網目状に接続されている。ブランチスイッチ６１〜６４は、エッジスイッチ７１〜７４とゲートウェイスイッチ３との間に配置され、エッジスイッチ７１〜７４とゲートウェイスイッチ３との間で送受信されるレイヤ２フレームを中継（転送）する。ここでは、ブランチスイッチ６１，６２がゲートウェイスイッチ３に接続されている場合を示している。また、ブランチスイッチ６３がブランチスイッチ６１に接続され、ブランチスイッチ６４がブランチスイッチ６２に接続されている。また、ブランチスイッチ６１とブランチスイッチ６２が接続され、ブランチスイッチ６１とブランチスイッチ６２を接続されている。【００２１】
エッジスイッチ７１〜７４は、ブランチスイッチ６３，６４に接続されている。ここでは、エッジスイッチ７１，７２がブランチスイッチ６３に接続され、エッジスイッチ７１，７２がブランチスイッチ６３に接続されている。また、エッジスイッチ７１とエッジスイッチ７２が接続され、エッジスイッチ７３とエッジスイッチ７４が接続されている。エッジスイッチ７１〜７４は、種々の無線システムに対応した無線基地局８１〜８４やアクセスポイント９１〜９４を収容する。エッジスイッチ７１〜７４は、無線基地局８１〜８４、アクセスポイント９１〜９４とブランチスイッチ６１〜６４の間で送受信される情報を中継する。無線基地局８１〜８４、アクセスポイント９１〜９４は、所定の無線インタフェースで移動端末１０１，１０２と接続する。【００２２】
移動端末１０１，１０２は、携帯電話、ＰＨＳ（Personal  Handyphone  System）、ＰＤＡ（Personal  Digital
Assistant）等の移動可能な通信端末であり、無線基地局８１〜８４、アクセスポイント９１〜９４が管理するサービスエリア（後述のＬＡ，ＶＬＡ）に渡って移動する。移動端末１０１，１０２は、無線基地局８１〜８４やアクセスポイント９１〜９４が提供する所定の無線インタフェースで階層型レイヤ２ネットワーク等に接続する。【００２３】
通信ネットワークシステムにおいては、移動端末１０１，１０２が個々の無線システムの位置登録エリア（以下、ＬＡ（Location  Area）ともいう）、通信ネットワークシステムが管理する位置登録エリア（以下、ＶＬＡ（Virtual
Location Area）ともいう）に渡って移動する。【００２４】
図２は、実施の形態１に係る通信ネットワークシステムのＬＡとＶＬＡの関係を説明するための図である。なお、図２においてはブランチスイッチ６１〜６４等を省略した通信ネットワークシステムを示している。【００２５】
エッジスイッチ７１と接続された無線基地局８１は、第３世代（３Ｇ）移動体通信システムの位置登録エリア１１１内で移動端末１０１，１０２と通信可能である。また、エッジスイッチ７１と接続された複数のアクセスポイント９１は、第４世代（４Ｇ）移動体通信システムの位置登録エリア１２１内で移動端末１０１，１０２と通信可能である。【００２６】
ここでは、各無線システムに固有の位置登録識別子（ＬＡＩ（Location  Area  Identification）として、位置登録エリア１１１のＬＡＩが識別子「ＬＡＩ：３Ｇ−ＬＡ２」であり、位置登録エリア１２１のＬＡＩが識別子「ＬＡＩ：４Ｇ−ＬＡｂ」である場合を示している。また、通信ネットワークシステムが管理する位置登録識別子（ＶＬＡＩ（Virtual
Location Area Identification）として位置登録エリア１１１のＶＬＡＩが識別子「ＬＡ２」であり、位置登録エリア１２１のＶＬＡＩが「ＬＡ３」である場合を示している。【００２７】
さらに、エッジスイッチ７２と接続された無線基地局８２は、第３世代移動体通信システムの位置登録エリア１１２内で移動端末１０１，１０２と通信可能である。また、エッジスイッチ７２と接続された複数のアクセスポイント９２は、第４世代移動体通信システムの位置登録エリア１２２内で移動端末１０１，１０２と通信可能である。【００２８】
ここでは、位置登録エリア１１２のＬＡＩが識別子「ＬＡＩ：３Ｇ−ＬＡ１」であり、位置登録エリア１２２の無線システムにＬＡＩが識別子「ＬＡＩ：４Ｇ−ＬＡａ」である場合を示している。また、位置登録エリア１１２，１２２のＶＬＡＩが「ＬＡ２」である場合を示している。【００２９】
すなわち、位置登録エリア１１２の「ＬＡＩ：３Ｇ−ＬＡ１」がＶＬＡＩ（ＬＡ１）に対応し、位置登録エリア１２２の「ＬＡＩ：４Ｇ−ＬＡａ」がＶＬＡＩ（ＬＡ１）に対応し、位置登録エリア１１１の「ＬＡＩ：３Ｇ−ＬＡ２」がＶＬＡＩ（ＬＡ２）に対応し、位置登録エリア１２１の「ＬＡＩ：４Ｇ−ＬＡｂ」がＶＬＡＩ（ＬＡ３）に対応している。これらのＬＡＩとＶＬＡＩの対応表（以下、識別情報リスト１３０という）は、各移動端末１０１（１０２）によって記憶されている。【００３０】
つぎに、移動端末１０１，１０２の構成について説明する。なお、移動端末１０１，１０２は同様の構成を有するので、ここでは移動端末１０１を例にとって説明する。図３は、実施の形態１に係る移動端末の構成を示すブロック図である。【００３１】
移動端末１０１は、通信Ｉ／Ｆ部１１、記憶部（第１の記憶部）１２、識別情報抽出部１３、識別情報比較部（位置登録要求部）１４、制御部１９からなる。通信Ｉ／Ｆ部１１は、無線基地局８１〜８４やアクセスポイント９１〜９４との間で情報の送受信を行う通信インタフェースである。記憶部１２は、識別情報リスト１３０を記憶する。【００３２】
識別情報抽出部１３は、無線基地局８１〜８４やアクセスポイント９１〜９４（無線システム）から受信した報知情報（System  Information）から各無線システムのＬＡＩを抽出する。【００３３】
識別情報比較部１４は、識別情報抽出部１３が抽出したＬＡＩと記憶部１２が記憶する識別情報リスト１３０に基づいて、識別情報抽出部１３が抽出したＬＡＩに対応するＶＬＡＩを抽出する。識別情報比較部１４は、識別情報抽出部１３が抽出したＶＬＡＩを予め記憶しておき、識別情報抽出部１３が新たに抽出したＶＬＡＩに変化があったか否かを判断する。制御部１９は、通信Ｉ／Ｆ部１１、記憶部１２、識別情報抽出部１３、識別情報比較部１４を制御する。【００３４】
つぎに、実施の形態１に係る通信ネットワークシステムの動作手順について説明する。図４は、実施の形態１に係る通信ネットワークシステムの動作手順を示す図である。ここでは、移動端末１０１の移動の一例として、待ち受け状態にある移動端末１０１が４Ｇの位置登録エリア１２２（ＬＡＩ：４Ｇ−ＬＡａ）、３Ｇの位置登録エリア１１２（ＬＡＩ：３Ｇ−ＬＡ１）、４Ｇの位置登録エリア１２１（ＬＡＩ：４Ｇ−ＬＡｂ）、３Ｇの位置登録エリア１１１（ＬＡＩ：３Ｇ−ＬＡ２）の順番で移動した場合について説明する。【００３５】
ページングエージェント４は、最初に移動端末１０１が位置登録エリア１２２に位置するため、移動端末１０１のＶＬＡ（ＬＡ１）記憶している。移動端末１０１の記憶部１２へは、予め識別情報リスト１３０を記憶させておく。【００３６】
移動端末１０１は、最初に４Ｇの位置登録エリア１２２で通信Ｉ／Ｆ部１１を介してアクセスポイント９２から報知情報（System  Information）を受信する（ステップＳ１００）。報知情報には、各無線システムに固有の位置登録識別子（ＬＡＩ）が含まれている。【００３７】
移動端末１０１の識別情報抽出部１３は、受信した報知情報の中から４Ｇの位置登録識別子である「ＬＡＩ：４Ｇ−ＬＡａ」を抽出する。移動端末１０１の識別情報比較部１４は、記憶部１２が記憶する識別情報リスト１３０に基づいて、抽出したＬＡＩに対応するＶＬＡＩを求める（ＬＡＩをＶＬＡＩに変換する）（ステップＳ１１０）。ここでは、識別情報リスト１３０において位置登録エリア１２２の「ＬＡＩ：４Ｇ−ＬＡａ」がＶＬＡＩ（ＬＡ１）に対応するため、識別情報比較部１４によってＶＬＡＩ（ＬＡ１）が抽出される。【００３８】
移動端末１０１の識別情報比較部１４は、新たに抽出したＶＬＡＩと、識別情報比較部１４が保持しているＶＬＡＩを比較する（ステップＳ１２０）。ここでは、新たに抽出したＶＬＡＩと、識別情報比較部１４が保持しているＶＬＡＩが同じ値（ＬＡ１）であるため、識別情報比較部１４はＶＬＡに変化がないと判断し、移動端末１０１は待ち受け状態を維持する。識別情報比較部１４は、保持していたＶＬＡＩをそのまま保持しておく。【００３９】
つぎに、移動端末１０１は３Ｇの位置登録エリア１１２へ移動する。移動端末１０１は、３Ｇの位置登録エリア１１２で無線基地局８２から通信Ｉ／Ｆ部１１を介して報知情報を受信する（ステップＳ１３０）。【００４０】
移動端末１０１の識別情報抽出部１３は、受信した報知情報の中から３Ｇの位置登録識別子である「ＬＡＩ：３Ｇ−ＬＡ１」を抽出する。移動端末１０１の識別情報比較部１４は、記憶部１２が記憶する識別情報リスト１３０に基づいて、識別情報抽出部１３が抽出したＬＡＩに対応するＶＬＡＩを求める（ステップＳ１４０）。ここでは、識別情報リスト１３０において位置登録エリア１１２の「ＬＡＩ：３Ｇ−ＬＡ１」がＶＬＡＩ（ＬＡ１）に対応するため、識別情報比較部１４によってＶＬＡＩ（ＬＡ１）が抽出される。【００４１】
移動端末１０１の識別情報比較部１４は、新たに抽出したＶＬＡＩと、識別情報比較部１４が保持しているＶＬＡＩを比較する（ステップＳ１５０）。ここでは、新たに抽出したＶＬＡＩと、識別情報比較部１４が保持しているＶＬＡＩが同じ値（ＬＡ１）であるため識別情報比較部１４はＶＬＡに変化がないと判断し、移動端末１０１は待ち受け状態を維持する。識別情報比較部１４は、保持していたＶＬＡＩをそのまま保持しておく。【００４２】
つぎに、移動端末１０１は４Ｇの位置登録エリア１２１へ移動する。移動端末１０１は、４Ｇの位置登録エリア１２１でアクセスポイント９１から通信Ｉ／Ｆ部１１を介して報知情報を受信する（ステップＳ１６０）。【００４３】
移動端末１０１の識別情報抽出部１３は、受信した報知情報の中から４Ｇの位置登録識別子である「ＬＡＩ：３Ｇ−ＬＡｂ」を抽出する。移動端末１０１の識別情報比較部１４は、記憶部１２が記憶する識別情報リスト１３０に基づいて、識別情報抽出部１３が抽出したＬＡＩに対応するＶＬＡＩを求める（ステップＳ１７０）。ここでは、識別情報リスト１３０において位置登録エリア１２１の「ＬＡＩ：４Ｇ−ＬＡｂ」がＶＬＡＩ（ＬＡ３）に対応するため、識別情報比較部１４によってＶＬＡＩ（ＬＡ３）が抽出される。【００４４】
移動端末１０１の識別情報比較部１４は、新たに抽出したＶＬＡＩと、識別情報比較部１４が保持しているＶＬＡＩを比較する（ステップＳ１８０）。ここでは、新たに抽出したＶＬＡＩ（ＬＡ３）と、識別情報比較部１４が保持しているＶＬＡＩ（ＬＡ１）が異なる値であるため、識別情報比較部１４はＶＬＡが変化したと判断し、ページングエージェント４に対して位置登録要求（Location  Area  Update）メッセージ（要求情報）を送信する（ステップＳ１９０）。位置登録要求メッセージは、ページングエージェント４に対して、自らの位置に関する情報（ＶＬＡ）の登録要求を行うための情報である。【００４５】
移動端末１０１からの位置登録要求メッセージは、例えばアクセスポイント９１、エッジスイッチ７１、ブランチスイッチ６３，６１、ゲートウェイスイッチ３を介してページングエージェント４に送られる。【００４６】
ページングエージェント４は、移動端末１０１から送られてきた位置登録要求メッセージに基づいて、管理している移動端末１０１のＶＬＡ（位置情報）を更新する（ステップＳ２００）。ここでのページングエージェント４は、移動端末１０１のＶＬＡをＬＡ１からＬＡ３に更新して記憶する。【００４７】
ページングエージェント４は、位置登録要求メッセージを受け付けたことを示す位置登録応答（Location  Area  Update  Accept）メッセージ（応答情報）を移動端末１０１に送信する（ステップＳ２１０）。ページングエージェント４からの位置登録要求メッセージは、例えばゲートウェイスイッチ３、ブランチスイッチ６１，６３、エッジスイッチ７１、アクセスポイント９１を介して移動端末１０１に送られる。【００４８】
移動端末１０１は、ページングエージェント４から位置登録応答メッセージを通信Ｉ／Ｆ部１１を介して受信すると、位置登録が完了したことを認識する。移動端末１０１の識別情報比較部１４は、保持しているＶＬＡＩ（ＬＡ１）をＶＬＡＩ（ＬＡ３）に更新して記憶する（ステップＳ２２０）。【００４９】
つぎに、移動端末１０１は３Ｇの位置登録エリア１１１へ移動する。移動端末１０１は、３Ｇの位置登録エリア１１１で無線基地局８１から通信Ｉ／Ｆ部１１を介して報知情報を受信する（ステップＳ２３０）。【００５０】
移動端末１０１の識別情報抽出部１３は、受信した報知情報の中から３Ｇの位置登録識別子である「ＬＡＩ：３Ｇ−ＬＡ２」を抽出する。移動端末１０１の識別情報比較部１４は、記憶部１２が記憶する識別情報リスト１３０に基づいて、識別情報抽出部１３が抽出したＬＡＩに対応するＶＬＡＩを求める（ステップＳ２４０）。ここでは、位置登録エリア１１１の「ＬＡＩ：３Ｇ−ＬＡ２」がＶＬＡＩ（ＬＡ２）に対応するため、識別情報比較部１４によってＶＬＡＩ（ＬＡ２）が抽出される。【００５１】
移動端末１０１の識別情報比較部１４は、新たに抽出したＶＬＡＩと、識別情報比較部１４が保持しているＶＬＡＩを比較する（ステップＳ２５０）。ここでは、新たに抽出したＶＬＡＩ（ＬＡ２）と、識別情報比較部１４が保持しているＶＬＡＩ（ＬＡ３）が異なる値であるため、識別情報比較部１４はＶＬＡが変化したと判断し、ページングエージェント４に対して位置登録要求メッセージを送信する（ステップＳ２６０）。【００５２】
ページングエージェント４は、移動端末１０１から送られてきた位置登録要求メッセージに基づいて、管理している移動端末１０１のＶＬＡを更新する（ステップＳ２７０）。ページングエージェント４は、移動端末１０１のＶＬＡをＬＡ３からＬＡ２に更新して記憶する。【００５３】
ページングエージェント４は、位置登録応答メッセージを移動端末１０１に送信する（ステップＳ２８０）。移動端末１０１は、ページングエージェント４から位置登録応答メッセージを受信すると、位置登録が完了したことを認識する。移動端末１０１の識別情報比較部１４は、保持しているＶＬＡＩ（ＬＡ３）をＶＬＡＩ（ＬＡ２）に更新して記憶する（ステップＳ２９０）。【００５４】
ページングエージェント４は、移動端末１０１が待ち受け状態に遷移した場合に、移動端末１０１宛のレイヤ２フレームを一時的に蓄積するようゲートウェイスイッチ３に要求する。レイヤ２フレームを一時的に蓄積するよう要求されたゲートウェイスイッチ３は、待ち受け状態に遷移した移動端末１０１に対してレイヤ２フレームが送られてきた場合に、このレイヤ２フレームをバッファリングサーバ５に転送する。バッファリングサーバ５は、ページングエージェント４から転送要求が指示されるまで移動端末１０１宛のレイヤ２フレームを一時的に蓄積するとともに、ページングエージェント４に対してレイヤ２フレームが送られてきたことを通知する。ページングエージェント４は、この通知に基づき移動端末１０１に対してページングを行なう。【００５５】
このように、移動端末１０１が個々の無線システム固有の位置登録識別子（ＬＡＩ）を異種無線統合型ネットワークが管理する位置登録識別子（ＶＬＡＩ）に変換するリスト（識別情報リスト１３０）を備えることによって、移動端末１０１がオーバレイした無線システム間に亘った位置登録エリア（ＬＡ）を識別することが可能となる。【００５６】
このように実施の形態１によれば、移動端末１０１が識別情報リスト１３０を備え、移動端末１０１がオーバレイした無線システム間に亘った位置登録エリアを識別するようにしたので、通信ネットワークシステムが異種無線システム間に亘った柔軟な位置登録エリア（ＶＬＡ）を構成することが可能となる。【００５７】
実施の形態２．
次に、図５〜７を用いてこの発明の実施の形態２について説明する。実施の形態２では、図１に示した通信ネットワークシステムにおいて、移動端末１０１が識別情報リスト１３０を動的に通信ネットワークシステム内から受信することによって識別情報リスト１３０を取得（ダウンロード）する。【００５８】
図５は、実施の形態２に係る移動端末の構成を示すブロック図であり、図５の各構成要素のうち図３に示す実施の形態１の移動端末１０１と同一機能を達成する構成要素については同一番号を付しており、重複する説明は省略する。移動端末１０１は、通信Ｉ／Ｆ部１１、記憶部１２、識別情報抽出部１３、識別情報比較部１４、情報取得部（対応情報取得部）１５、制御部１９からなる。【００５９】
情報取得部１５は、新しい識別情報リスト１３０や変更された識別情報リスト１３０を要求するためのメッセージ（後述の識別情報リスト要求メッセージ）をページングエージェント４に送信し、ページングエージェント４から識別情報リスト１３０を取得する。制御部１９は、通信Ｉ／Ｆ部１１、記憶部１２、識別情報抽出部１３、識別情報比較部１４、情報取得部１５を制御する。【００６０】
図６は、実施の形態２に係るページングエージェントの構成を示すブロック図である。ページングエージェント４は、通信Ｉ／Ｆ部４１、記憶部（第２の記憶部）４２、情報提供部４３、制御部４９からなる。通信Ｉ／Ｆ部４１は、ゲートウェイスイッチ３との間で種々の情報の送受信を行う通信インタフェースである。記憶部４２は、識別情報リスト１３０を記憶する。【００６１】
情報提供部４３は、通信ネットワークシステムにおけるネットワーク構成の変更や移動端末１０１，１０２から識別情報リスト１３０の要求があると、記憶部４２に記憶している識別情報リスト１３０を移動端末１０１，１０２に送信する。制御部４９は、通信Ｉ／Ｆ部４１、記憶部４２、情報提供部４３を制御する。【００６２】
図７は、実施の形態２に係る通信ネットワークシステムの動作手順を示す図である。移動端末１０１の情報取得部１５は、電源ＯＮ時の最初の位置登録後に任意のタイミングで識別情報リスト１３０を要求するためのメッセージ（識別情報リスト要求メッセージ）を通信Ｉ／Ｆ部１１を介してページングエージェント４に送信する（ステップＳ３００）。【００６３】
ページングエージェント４は、通信Ｉ／Ｆ部４１を介して識別情報リスト要求メッセージを受信する。ページングエージェント４の情報提供部４３は移動端末１０１からの要求に従って、識別情報リスト１３０を含むメッセージ（識別情報リスト応答メッセージ）を通信Ｉ／Ｆ部４１を介して移動端末１０１に送信する（ステップＳ３１０）。【００６４】
移動端末１０１の情報取得部１５は、通信Ｉ／Ｆ部１１を介して識別情報リスト応答メッセージを受信すると、このメッセージ中に含まれる識別情報リスト１３０を抽出し、記憶部１２に記憶（格納）させる（ステップＳ３２０）。【００６５】
また、通信ネットワークシステムにおけるネットワーク構成の変更等があると、ページングエージェント４の情報提供部４３は識別情報リスト１３０が変更されたことを示すメッセージ（識別情報リスト変更通知メッセージ）を通信Ｉ／Ｆ部４１を介して移動端末１０１に送信する（ステップＳ３３０）。これにより、ページングエージェント４は、移動端末１０１がページングエージェント４に識別情報リスト１３０の要求を行うことを促す。【００６６】
移動端末１０１の情報取得部１５は、ページングエージェント４から通信Ｉ／Ｆ部１１を介して識別情報リスト変更通知メッセージを受信すると、変更された識別情報リスト１３０を要求するためのメッセージ（識別情報リスト要求メッセージ）をページングエージェント４に送信する（ステップＳ３４０）。【００６７】
ページングエージェント４は、通信Ｉ／Ｆ部４１を介して識別情報リスト要求メッセージを受信する。ページングエージェント４の情報提供部４３は移動端末１０１からの要求に従って、識別情報リスト１３０を含むメッセージ（識別情報リスト応答メッセージ）を通信Ｉ／Ｆ部４１を介して移動端末１０１に送信する（ステップＳ３５０）。【００６８】
移動端末１０１の情報取得部１５は、識別情報リスト応答メッセージを受信すると、このメッセージ中に含まれる識別情報リスト１３０を抽出し、記憶部１２に記憶させる（ステップＳ３６０）。この後、実施の形態１の図３で説明した手順によって移動端末１０１はオーバレイした無線システム間に亘った位置登録エリアを識別しながら移動する。【００６９】
なお、本実施の形態２においてはページングエージェント４の記憶部１２が識別情報リスト１３０を記憶することとしたが、通信ネットワーク内の他の装置が識別情報リスト１３０を記憶してもよい。この場合、ページングエージェント４の情報提供部４３は移動端末１０１から情報要求メッセージを受信すると、識別情報リスト１３０を記憶する装置から移動端末１０１に識別情報リスト１３０を送信させる。【００７０】
このように移動端末１０１が情報取得部１５を備えるので、移動端末１０１は個々の無線システムの位置登録識別子と異種無線統合型の通信ネットワークシステムが管理する位置登録エリアの識別子の対応リストである識別情報リスト１３０を、固定的ではなく動的に通信ネットワーク側からダウンロードすることが可能となる。【００７１】
このように実施の形態２によれば、移動端末１０１は識別情報リスト１３０を固定的ではなく動的に通信ネットワーク側からダウンロードすることが可能となり、移動端末１０１において容易に識別情報リスト１３０の変更が可能となる。【００７２】
実施の形態３．
次に、図８，９を用いてこの発明の実施の形態３について説明する。実施の形態３では、図１に示した通信ネットワークシステムにおいて、移動端末１０１が識別情報リスト１３０に含まれていないそれぞれの無線システムに固有の位置登録識別子（ＬＡＩ）を受信した際に、通信ネットワークシステムが管理する位置登録エリアの変更を認識する。そして、移動端末１０１は通信ネットワークシステムが管理する位置登録エリアの変更を認識した後、新たな識別情報リスト１３０を動的に通信ネットワークシステム内から受信することによって識別情報リスト１３０を取得する。【００７３】
図８は、実施の形態３に係る移動端末の構成を示すブロック図であり、図８の各構成要素のうち図３，５に示す実施の形態１，２の移動端末１０１と同一機能を達成する構成要素については同一番号を付しており、重複する説明は省略する。移動端末１０１は、通信Ｉ／Ｆ部１１、記憶部１２、識別情報抽出部１３、識別情報比較部１４、情報取得部１５、変更情報認識部１６、制御部１９からなる。【００７４】
変更情報認識部１６は、報知情報から位置登録エリアの識別子（ＬＡＩ）を抽出し、抽出したＬＡＩが記憶部１２に記憶している識別情報リスト１３０に存在するか否かを判断する。変更情報認識部１６は、抽出したＬＡＩが記憶部１２に記憶している識別情報リスト１３０に存在するか否かに基づいてＶＬＡの変化を判断する。制御部１９は、通信Ｉ／Ｆ部１１、記憶部１２、識別情報抽出部１３、識別情報比較部１４、情報取得部１５、変更情報認識部１６を制御する。【００７５】
図９は、実施の形態３に係る通信ネットワークシステムの動作手順を示す図である。待ち受け状態にある移動端末１０１は、移動端末１０１が捕捉している無線システム（移動端末１０１の通信エリアに対応する無線基地局８１〜８４、アクセスポイント９１〜９４のいずれか）からの報知情報を通信Ｉ／Ｆ部１１を介して受信する（ステップＳ４００）。【００７６】
移動端末１０１の変更情報認識部１６は、報知情報から位置登録エリアの識別子（ＬＡＩ）を抽出し、抽出したＬＡＩが記憶部１２に記憶している識別情報リスト１３０に存在するか否かを判断する（ステップＳ４１０）。変更情報認識部１６は、抽出したＬＡＩが記憶部１２に記憶している識別情報リスト１３０に存在しない場合、ＶＬＡが変化したと判断する。【００７７】
変更情報認識部１６は、ＶＬＡが変化したと判断すると、抽出したＬＡＩを含む位置登録要求メッセージを通信Ｉ／Ｆ部１１を介してページングエージェント４に送信する（ステップＳ４２０）。ページングエージェント４は、通信Ｉ／Ｆ部４１を介して位置登録要求メッセージを受信する。【００７８】
ページングエージェント４の情報提供部４３は、識別情報リスト１３０に基づいて送られてきた位置登録要求メッセージに含まれるＬＡＩからＶＬＡＩを特定し（ステップＳ４３０）、記憶部４２が記憶（位置管理）している当該移動端末１０２のＶＬＡを更新させる（ステップＳ４４０）。【００７９】
ページングエージェント４の情報提供部４３は、特定したＶＬＡを含んだ識別情報リスト１３０を位置登録応答メッセージに付加し、通信Ｉ／Ｆ部４１を介して移動端末１０１に送信する（ステップＳ４５０）。【００８０】
移動端末１０１は、ページングエージェント４から位置登録応答メッセージを通信Ｉ／Ｆ部１１を介して受信すると位置登録が完了したことを認識する。移動端末１０１の識別情報抽出部１３は、位置登録応答メッセージから識別情報リスト１３０を抽出し、記憶部１２に識別情報リスト１３０を記憶させる（ステップＳ４６０）。この後、実施の形態１の図３で説明した手順によって移動端末１０１はオーバレイした無線システム間に亘った位置登録エリアを識別しながら移動する。【００８１】
このように、移動端末１０１は変更情報認識部１６を備えているので、報知情報から位置登録エリアの識別子（ＬＡＩ）を抽出し、抽出したＬＡＩが記憶部１２に記憶している識別情報リスト１３０に存在するか否かを判断することによって通信ネットワークシステムが管理する位置登録エリア（ＶＬＡ）の変更を容易に認識することが可能となる。【００８２】
このように実施の形態３によれば、移動端末１０１は位置登録エリア（ＶＬＡ）の変更を容易に認識することができるので、ページングエージェント４に識別情報リスト１３０を要求することができ、必要最低限の識別情報リスト１３０を容易に取得することが可能となる。【００８３】
実施の形態４．
次に、図１０および図１１を用いてこの発明の実施の形態４について説明する。実施の形態４では、図１に示した通信ネットワークシステムにおいて、各移動端末が保有している無線システムのインタフェースに応じて、通信ネットワークシステム（ページングエージェント４）から各移動端末に識別情報リスト１３０を送信する。【００８４】
図１０は、実施の形態４に係るページングエージェントの構成を示すブロック図であり、図１０の各構成要素のうち図６に示す実施の形態２のページングエージェント４と同一機能を達成する構成要素については同一番号を付しており、重複する説明は省略する。ページングエージェント４は、通信Ｉ／Ｆ部４１、記憶部４２、情報提供部４３、能力管理部（端末管理部）４４、制御部４９からなる。【００８５】
能力管理部４４は、移動端末１０１の能力（通信の設定）のチェックを行う。能力管理部４４は、移動端末１０１の能力のチェック結果に基づいて識別情報リスト１３０を変更する。制御部４９は、通信Ｉ／Ｆ部４１、記憶部４２、情報提供部４３、能力管理部４４を制御する。【００８６】
図１１は、実施の形態４に係る通信ネットワークシステムの動作手順を示す図である。待ち受け状態にある移動端末１０１は、移動端末１０１が捕捉している無線システムからの報知情報を受信する（ステップＳ５００）。【００８７】
移動端末１０１の変更情報認識部１６は、報知情報から位置登録エリアの識別子（ＬＡＩ）を抽出し、抽出したＬＡＩが記憶部１２に記憶している識別情報リスト１３０に存在するか否かを判断する（ステップＳ５１０）。【００８８】
変更情報認識部１６は、抽出したＬＡＩが記憶部１２に記憶している識別情報リスト１３０に存在しない場合ＶＬＡが変化したと判断し、抽出したＬＡＩを含む位置登録要求メッセージをページングエージェント４に送信する（ステップＳ５２０）。【００８９】
ページングエージェント４の情報提供部４３は、送られてきた位置登録要求メッセージに含まれるＬＡＩからＶＬＡＩを特定し（ステップＳ５３０）、記憶部４２が記憶している当該移動端末１０２のＶＬＡを更新させる（ステップＳ５４０）。【００９０】
ページングエージェント４の能力管理部４４は、移動端末１０１の能力のチェックを行う（ステップＳ５５０）。ここでの能力管理部４４は、移動端末１０１が保有している無線インタフェースの数と無線インタフェースの種別をチェックすることによって移動端末１０１の能力のチェックを行う。【００９１】
通信ネットワークシステム内において、複数の異種無線システムが提供される場合、各移動端末は必ずしも全ての異種無線システムのインタフェースを保有しているとは限らない。すなわち、移動端末毎にサービスを享受する無線インタフェースの数と種別は異なっている。例えば、移動端末１０１は３Ｇと４Ｇを備え、移動端末１０２は２Ｇ、３Ｇ、４Ｇの無線インタフェースを備えている。移動端末１０１の能力に関する情報（無線インタフェースの数、種別等）は、例えば位置登録要求メッセージに付加して移動端末１０１からページングエージェント４に送られる。【００９２】
ページングエージェント４の能力管理部４４は、移動端末１０１の能力のチェック結果に基づいて、情報提供部４３が特定したＶＬＡを含む識別情報リスト１３０から移動端末１０１の能力（設定）にない無線システムのＬＡＩを削除する（ステップＳ５６０）。【００９３】
ページングエージェント４の情報提供部４３は、特定したＶＬＡを含んだ識別情報リスト１３０を位置登録応答メッセージに付加して移動端末１０１に送信する（ステップＳ５７０）。【００９４】
移動端末１０１は、ページングエージェント４から位置登録応答メッセージを受信すると、位置登録が完了したことを認識する。移動端末１０１の識別情報抽出部１３は、位置登録応答メッセージから識別情報リスト１３０を抽出し、記憶部１２に識別情報リスト１３０を記憶させる（ステップＳ５８０）。この後、実施の形態１の図３で説明した手順によって移動端末１０１はオーバレイした無線システム間に亘った位置登録エリアを識別しながら移動する。【００９５】
なお、本実施の形態４においてはページングエージェント４が、移動端末１０１に応じた識別情報リスト１３０を移動端末１０１に送信することとしたが、移動端末が複数ある場合は各移動端末に応じた識別情報リスト１３０を各移動端末に送信する。【００９６】
このように、ページングエージェント４が能力管理部４４を備えるので、移動端末１０１が保有している無線システムのインタフェースに応じた識別情報リスト１３０を通信ネットワーク内で取得（管理）することが可能となる。【００９７】
このように実施の形態４によれば、移動端末１０１が保有する無線システムのインタフェース（通信の設定）に応じた識別情報リスト１３０を通信ネットワークから移動端末１０１に送信しているので、移動端末１０１は移動端末１０１が保有している無線システムのインタフェースに応じた識別情報リスト１３０を容易に取得することが可能となり、移動端末１０１が保有する無線システムのインタフェースに応じた位置登録エリアを構成することが出来ることが可能となる。【００９８】
実施の形態５．
次に、図１２および図１３を用いてこの発明の実施の形態５について説明する。実施の形態５では、図１に示した通信ネットワークシステムにおいて、移動端末は各無線システムの負荷状況に応じて捕捉する無線システムを決定する。【００９９】
図１２は、実施の形態５に係るページングエージェントの構成を示すブロック図であり、図１２の各構成要素のうち図６に示す実施の形態２のページングエージェント４と同一機能を達成する構成要素については同一番号を付しており、重複する説明は省略する。ページングエージェント４は、通信Ｉ／Ｆ部４１、記憶部４２、情報提供部４３、負荷状態管理部（負荷管理部）４５、制御部４９からなる。【０１００】
負荷状態管理部４５は、各無線システムの負荷状況をチェックし、移動端末が負荷の大きな無線システムで待ち受け状態とならないよう、負荷の大きな無線システムのＬＡＩを識別情報リスト１３０内で負荷情報としてマーキングする。負荷状態管理部４５は、負荷情報を含む識別情報リスト１３０を位置登録応答メッセージに付加し、通信Ｉ／Ｆ部４１を介して移動端末１０１に送信する。制御部４９は、通信Ｉ／Ｆ部４１、記憶部４２、情報提供部４３、負荷状態管理部４５を制御する。【０１０１】
図１３は、実施の形態５に係る通信ネットワークシステムの動作手順を示す図である。待ち受け状態にある移動端末１０１は、移動端末１０１が捕捉している無線システムからの報知情報を受信する（ステップＳ６００）。【０１０２】
移動端末１０１の変更情報認識部１６は、報知情報から位置登録エリアの識別子（ＬＡＩ）を抽出し、抽出したＬＡＩが記憶部１２に記憶している識別情報リスト１３０に存在するか否かを判断する（ステップＳ６１０）。【０１０３】
変更情報認識部１６は、抽出したＬＡＩが記憶部１２に記憶している識別情報リスト１３０に存在しない場合ＶＬＡが変化したと判断し、抽出したＬＡＩを含む位置登録要求メッセージをページングエージェント４に送信する（ステップＳ６２０）。【０１０４】
ページングエージェント４の情報提供部４３は、送られてきた位置登録要求メッセージに含まれるＬＡＩからＶＬＡＩを特定し（ステップＳ６３０）、記憶部４２が記憶している当該移動端末１０２のＶＬＡを更新させる（ステップＳ６４０）。【０１０５】
ページングエージェント４の負荷状態管理部４５は、各無線システム（無線基地局８１〜８４、アクセスポイント９１〜９４）の負荷状況をチェックする（ステップＳ６５０）。例えば、各無線システムの負荷状況は、周期的に又は無線システムの負荷状態が所定の閾値を超えた際に、各無線システムの無線基地局８１〜８４、アクセスポイント９１〜９４からページングエージェント４に対して通知される。【０１０６】
また、各無線システムの負荷状況は、各エッジスイッチ７１〜７４が各無線システム（無線基地局８１〜８４、アクセスポイント９１〜９４）の負荷状況を収集し、ページングエージェント４からエッジスイッチ７１〜７４に負荷状況の問い合わせがあった際に、各エッジスイッチ７１〜７４がページングエージェント４に通知するようにしてもよい。【０１０７】
負荷状態管理部４５は、各無線システムの負荷状況をチェックすると、移動端末１０１が負荷の大きな無線システムで待ち受け状態とならないよう、負荷の大きな無線システムのＬＡＩを識別情報リスト１３０内で負荷情報としてマーキングする（ステップＳ６６０）。負荷状態管理部４５は、マーキングを付けたＬＡＩ（負荷情報）を含む識別情報リスト１３０を位置登録応答メッセージに付加し、通信Ｉ／Ｆ部４１を介して移動端末１０１に送信する（ステップＳ６７０）。【０１０８】
移動端末１０１は、ページングエージェント４から位置登録応答メッセージを受信すると、位置登録が完了したことを認識する。移動端末１０１の識別情報抽出部１３は、位置登録応答メッセージから識別情報リスト１３０を抽出し、記憶部１２に識別情報リスト１３０を記憶させる（ステップＳ６８０）。この後、移動端末１０１はマーキングの付いたＬＡＩに対応する無線システムを捕捉しないようにし、実施の形態１の図３で説明した手順によって移動端末１０１はオーバレイした無線システム間に亘った位置登録エリアを識別しながら移動する。【０１０９】
このように、ページングエージェント４が負荷状態管理部４５を備えるので、無線システムの負荷状況に応じた識別情報リスト１３０を通信ネットワーク内で取得することが可能となる。【０１１０】
このように実施の形態５によれば、移動端末１０１が記憶する無線システムの負荷状況に応じた識別情報リスト１３０を通信ネットワークから移動端末１０１に送信しているので、移動端末１０１は無線システムの負荷状況に関する情報を容易に取得することが可能となる。また、移動端末１０１は無線システムの負荷状態に基づいて所定の無線システムのみを捕捉するので、特定の無線システムに位置登録が集中しないよう無線システムの負荷分散を行うことが可能となる。【０１１１】
実施の形態６．
次に、図１４および図１５を用いてこの発明の実施の形態６について説明する。実施の形態６では、図１に示した通信ネットワークシステムにおいて、無線システムのサービスエリアが他の無線システムのサービスエリアを包含する場合に、この無線システムを同一の位置登録エリアとして識別情報リスト１３１で管理する。また、識別情報リスト１３１は、図３に示した実施の形態１の移動端末１０１によって記憶されている。【０１１２】
図１４は、実施の形態６に係る通信ネットワークシステムのＬＡとＶＬＡの関係を説明するための図であり、図１４の各構成要素のうち図２に示す実施の形態１の通信ネットワークシステムと同一機能を達成する構成要素については同一番号を付しており、重複する説明は省略する。なお、図１４においてはブランチスイッチ６１〜６４等を省略した通信ネットワークシステムを示している。【０１１３】
各無線システムに固有の位置登録識別子（ＬＡＩ）として、無線基地局８１の位置登録エリア１１１のＬＡＩが識別子「ＬＡＩ：３Ｇ−ＬＡ２」であり、アクセスポイント９１の位置登録エリア１２１のＬＡＩが識別子「ＬＡＩ：４Ｇ−ＬＡｂ」である。【０１１４】
アクセスポイント９１の位置登録エリア１２１は、無線基地局８１の位置登録エリア１１１に含まれている。このため、本実施の形態６では位置登録エリア１２１のＶＬＡＩを位置登録エリア１１１のＶＬＡＩと同一の識別子「ＬＡ２」とする。【０１１５】
また、無線基地局８２の位置登録エリア１１２のＬＡＩが識別子「ＬＡＩ：３Ｇ−ＬＡ１」であり、アクセスポイント９２の位置登録エリア１２２の無線システムにＬＡＩが識別子「ＬＡＩ：４Ｇ−ＬＡａ」である。【０１１６】
アクセスポイント９２の位置登録エリア１２２は、無線基地局８２の位置登録エリア１１２に含まれている。このため、位置登録エリア１２２のＶＬＡＩを位置登録エリア１１２のＶＬＡＩと同一の識別子「ＬＡ１」とする。【０１１７】
すなわち、無線基地局８１の位置登録エリア１１１の「ＬＡＩ：３Ｇ−ＬＡ２」とアクセスポイント９１の位置登録エリア１２１の「ＬＡＩ：４Ｇ−ＬＡｂ」がＶＬＡＩ（ＬＡ１）に対応する。【０１１８】
また、無線基地局８２の位置登録エリア１１２の「ＬＡＩ：３Ｇ−ＬＡ１」とアクセスポイント９２の位置登録エリア１２２の「ＬＡＩ：４Ｇ−ＬＡａ」がＶＬＡＩ（ＬＡ２）に対応する。これらのＬＡＩとＶＬＡＩの対応表は、識別情報リスト１３１として移動端末１０１（１０２）によって記憶されている。【０１１９】
つぎに、実施の形態６に係る通信ネットワークシステムの動作手順について説明する。図１５は、実施の形態６に係る通信ネットワークシステムの動作手順を示す図である。ここでは、移動端末１０１の移動の一例として、実施の形態１と同様に待ち受け状態にある移動端末１０１が４Ｇの位置登録エリア１２２（ＬＡＩ：４Ｇ−ＬＡａ）、３Ｇの位置登録エリア１１２（ＬＡＩ：３Ｇ−ＬＡ１）、４Ｇの位置登録エリア１２１（ＬＡＩ：４Ｇ−ＬＡｂ）、３Ｇの位置登録エリア１１１（ＬＡＩ：３Ｇ−ＬＡ２）の順番で移動した場合について説明する。【０１２０】
移動端末１０１は、４Ｇの位置登録エリア１２２から３Ｇの位置登録エリア１１２を介して４Ｇの位置登録エリア１２１まで、図４に示す実施の形態１と同様の処理を行いながら移動するためその説明は省略する。図１５に示すステップＳ７００〜Ｓ８２０が図４のステップＳ１００〜Ｓ２２０に対応する。【０１２１】
移動端末１０１がステップＳ２２０の処理を行った後、移動端末１０１は３Ｇの位置登録エリア１１１へ移動する。移動端末１０１は、３Ｇの位置登録エリア１１１で無線基地局８１から通信Ｉ／Ｆ部１１を介して報知情報を受信する（ステップＳ８３０）。【０１２２】
移動端末１０１の識別情報抽出部１３は、受信した報知情報の中から３Ｇの位置登録識別子である「ＬＡＩ：３Ｇ−ＬＡ２」を抽出する。移動端末１０１の識別情報比較部１４は、記憶部１２が記憶する識別情報リスト１３１に基づいて、識別情報抽出部１３が抽出したＬＡＩに対応するＶＬＡＩを求める（ステップＳ８４０）。ここでは、識別情報リスト１３１において位置登録エリア１１１の「ＬＡＩ：３Ｇ−ＬＡ１」が位置登録エリア１２１と同一のＶＬＡＩ（ＬＡ２）に対応するため、識別情報比較部１４によってＶＬＡＩ（ＬＡ２）が抽出される。【０１２３】
移動端末１０１の識別情報比較部１４は、新たに抽出したＶＬＡＩと、識別情報比較部１４が保持しているＶＬＡＩを比較する（ステップＳ８５０）。ここでは、新たに抽出したＶＬＡＩ（ＬＡ２）と、識別情報比較部１４が保持しているＶＬＡＩ（ＬＡ２）が同じ値であるため識別情報比較部１４はＶＬＡに変化がないと判断し、移動端末１０１は待ち受け状態を維持する。識別情報比較部１４は、保持していたＶＬＡＩ（ＬＡ２）をそのまま保持しておく。この後、ページングエージェント４は、実施の形態１で説明した処理と同様の処理によって、移動端末１０１に対してページングを行なう。【０１２４】
このように実施の形態６によれば、無線システムのサービスエリアが他の無線システムのサービスエリアを包含する場合に、包含される無線システムを包含する無線システムと同一の位置登録エリアとして管理するので、移動端末１０１とページングエージェント４との間で送受信される位置登録信号を削減することが可能となる。したがって、移動端末１０１とページングエージェント４との間で送受信される位置登録を効率よく行うことが可能となる。【０１２５】
実施の形態７．
次に、図１６〜図１８を用いてこの発明の実施の形態７について説明する。実施の形態７では、図１に示した通信ネットワークシステムにおいて、無線システムのサービスエリアが他の無線システムのサービスエリアを包含する場合に包含される無線システムを包含する無線システムと同一の位置登録エリアとして管理するとともに、移動端末１０１の移動速度に応じて移動端末１０１が捕捉する無線システムを選択する。【０１２６】
図１６は、実施の形態７に係る通信ネットワークシステムのＶＬＡを説明するための図であり、図１６の各構成要素のうち図２に示す実施の形態１の通信ネットワークシステムと同一機能を達成する構成要素については同一番号を付しており、重複する説明は省略する。【０１２７】
無線基地局８３は、位置登録エリア１５０内で第３世代（３Ｇ）移動体通信システムによって移動端末１０１と通信を行う。位置登録エリア１５０は、アクセスポイント９３の位置登録エリア１６１〜１６４を含んでいる。【０１２８】
位置登録エリア１５０内の複数のアクセスポイント９３は、それぞれ位置登録エリア１６１〜１６４内で第３世代（４Ｇ）移動体通信システムによって移動端末１０１と通信を行う。【０１２９】
本実施の形態７においては、異種無線通信統合型の通信ネットワークシステムが管理する位置登録エリア（ＶＬＡ）は、位置登録エリア１５０、位置登録エリア１６１〜１６４によって１つのＶＬＡを構成している。【０１３０】
また、位置登録エリア１５０のＬＡＩが識別子「ＬＡＩ：３Ｇ−ＬＡ１」であり、位置登録エリア１６１〜１６４のＬＡＩがそれぞれ識別子「ＬＡＩ：４Ｇ−ＬＡａ」、「ＬＡＩ：４Ｇ−ＬＡｂ」、「ＬＡＩ：４Ｇ−ＬＡｃ」、「ＬＡＩ：４Ｇ−ＬＡｄ」である。【０１３１】
図１７は、実施の形態７に係る移動端末の構成を示すブロック図であり、図１７の各構成要素のうち図３に示す実施の形態１の移動端末１０１と同一機能を達成する構成要素については同一番号を付しており、重複する説明は省略する。移動端末１０１は、通信Ｉ／Ｆ部１１、識別情報抽出部１３、速度測定部１７、無線システム選択部（第１の選択部、第２の選択部）１８、制御部１９からなる。【０１３２】
速度測定部１７は、移動端末１０１が移動する速度を検知して移動速度を測定する。無線システム選択部１８は、移動端末１０１の移動速度、各無線システムのセル半径の大きさに基づいて、捕捉する無線システムを選択する。制御部１９は、通信Ｉ／Ｆ部１１、識別情報抽出部１３、速度測定部１７、無線システム選択部１８を制御する。【０１３３】
図１８は、実施の形態７に係る通信ネットワークシステムの動作手順を示す図である。待ち受け状態にある移動端末１０１の通信Ｉ／Ｆ部１１は、位置登録エリア１５０内において無線基地局８３から報知情報（３Ｇ−ＬＡ１）を受信する。また、移動端末１０１の通信Ｉ／Ｆ部１１は、位置登録エリア１６１に位置する場合は、位置登録エリア１６１内のアクセスポイント９３から報知情報（４Ｇ−ＬＡａ）を受信する。また、移動端末１０１の通信Ｉ／Ｆ部１１は、位置登録エリア１６２に位置する場合は、位置登録エリア１６２内のアクセスポイント９３から報知情報（４Ｇ−ＬＡｂ）を受信する。また、移動端末１０１の通信Ｉ／Ｆ部１１は、位置登録エリア１６３に位置する場合は、位置登録エリア１６３内のアクセスポイント９３から報知情報（４Ｇ−ＬＡｃ）を受信する。また、移動端末１０１の通信Ｉ／Ｆ部１１は、位置登録エリア１６４に位置する場合は、位置登録エリア１６４内のアクセスポイント９３から報知情報（４Ｇ−ＬＡｄ）を受信する。【０１３４】
識別情報抽出部１３は、無線基地局８３やアクセスポイント９３から受信した報知情報から各無線システムのＬＡＩを抽出する。移動端末１０１の無線システム選択部１８は、識別情報抽出部１３が抽出したＬＡＩに基づいて各無線システムの位置登録エリアのセル構成の大小を判別する。【０１３５】
例えば、移動端末１０１が位置登録エリア１６１に位置する場合は、位置登録エリア１６１内のアクセスポイント９３からの報知情報（４Ｇ−ＬＡａ）と、位置登録エリア１５０内の無線基地局８３からの報知情報（３Ｇ−ＬＡ１）を受信する。この場合、無線システム選択部１８は、位置登録エリア１５０のセル構成の大きさと位置登録エリア１６１のセル構成の大きさを比較する。ここでは、無線システム選択部１８は位置登録エリア１５０のセル構成（３Ｇ）が位置登録エリア１６１のセル構成（４Ｇ）よりも大きいと判断する（ステップＳ９００）。【０１３６】
移動端末１０１の速度測定部１７は、移動速度を測定している。無線システム選択部１８は、速度測定部１７が測定した移動速度が予め設定しておいた所定の速度よりも速いか否かを判断する（ステップＳ９１０）。【０１３７】
無線システム選択部１８は、予め設定しておいた所定の速度よりも移動速度が速いと判断すると、セル半径の大きい３Ｇの無線システム（無線基地局８３、位置登録エリア１５０）を選択する。そして、移動端末１０１は無線システム選択部１８が選択したセル半径の大きい３Ｇの無線システムを捕捉して待ち受け状態になる（ステップＳ９２０）。【０１３８】
一方、無線システム選択部１８は、予め設定しておいた所定の速度よりも移動速度が遅いと判断すると、セル半径の小さい４Ｇの無線システム（アクセスポイント９３、位置登録エリア１６１）を選択する。そして、移動端末１０１は無線システム選択部１８が選択したセル半径の小さい４Ｇの無線システムを捕捉して待ち受け状態になる（ステップＳ９３０）。移動端末１０１は、実施の形態１の図３で説明した処理と同様の処理オーバレイした無線システム間に亘った位置登録エリアを識別しながら移動する。【０１３９】
このように、移動端末１０１が無線システム選択部１８を備えるので、移動速度に応じて位置登録を行うことができ、待ち受け状態となる無線システムを選択することが可能となる。【０１４０】
なお、本実施の形態７においては、無線システムが３Ｇの無線システムと４Ｇの無線システムである場合について説明したが、無線システムは３Ｇと４Ｇに限られることはなく、無線システムは無線ＬＡＮ、Ｂｌｕｅｔｏｏｔｈ（登録商標）、ＵＷＢ（Ultra
Wide Band）などであってもよい。この場合も無線システム選択部１８は、各無線システムのセル半径に応じて捕捉する無線システムを選択する。【０１４１】
このように実施の形態７によれば、移動速度に応じて位置登録を行い、待ち受け状態となる無線システムを選択するので、移動端末１０１と無線システム間の位置登録信号を削減するとともに特定の無線システムに位置登録が集中しないよう負荷分散を行うことが可能となる。【０１４２】
実施の形態８．
次に、図１９および図２０を用いてこの発明の実施の形態８について説明する。実施の形態８では、図１に示した通信ネットワークシステムにおいて、無線システムのサービスエリアが他の無線システムのサービスエリアを包含する場合に包含される無線システムを包含する無線システムと同一の位置登録エリアとして管理するとともに、移動端末１０１が使用するアプリケーションが必要とする帯域の有無に応じて移動端末１０１が捕捉する無線システムを選択する。移動端末１０１は、例えば図１６に示す実施の形態７の通信ネットワークシステム内で捕捉する無線システムを選択する。【０１４３】
図１９は、実施の形態８に係る移動端末の構成を示すブロック図であり、図１９の各構成要素のうち図３，１７に示す実施の形態１，７の移動端末１０１と同一機能を達成する構成要素については同一番号を付しており、重複する説明は省略する。移動端末１０１は、通信Ｉ／Ｆ部１１、識別情報抽出部１３、無線システム選択部１８、制御部１９からなる。【０１４４】
ここでの無線システム選択部１８は、移動端末１０１が利用するアプリケーションが必要とする帯域、各無線システムの位置登録エリアの各セルが提供する帯域に基づいて捕捉する無線システムを選択する。制御部１９は、通信Ｉ／Ｆ部１１、識別情報抽出部１３、無線システム選択部１８を制御する。【０１４５】
図２０は、実施の形態８に係る通信ネットワークシステムの動作手順を示す図である。図１８で説明した実施の形態７に係る通信ネットワークシステムの動作手順と同様に、待ち受け状態にある移動端末１０１の通信Ｉ／Ｆ部１１は、位置登録エリア１５０内において無線基地局８３から報知情報（３Ｇ−ＬＡ１）を受信し、移動端末１０１は位置登録エリア１６１〜１６４において、それぞれ位置登録エリア１６１〜１６４内のアクセスポイント９３から報知情報（４Ｇ−ＬＡａ），（４Ｇ−ＬＡｂ），（４Ｇ−ＬＡｃ），（４Ｇ−ＬＡｄ）を受信する。【０１４６】
例えば、移動端末１０１が位置登録エリア１６１に位置する場合は、位置登録エリア１６１内のアクセスポイント９３からの報知情報（４Ｇ−ＬＡａ）と、位置登録エリア１５０内の無線基地局８３からの報知情報（３Ｇ−ＬＡ１）を受信する。識別情報抽出部１３は、無線基地局８３やアクセスポイント９３から受信した報知情報から各無線システムのＬＡＩを抽出する。【０１４７】
移動端末１０１の無線システム選択部１８は、識別情報抽出部１３が抽出したＬＡＩに対応する無線システムの位置登録エリアのセルが提供する帯域の値を判別する（ステップＳ１０００）。移動端末１０１の無線システム選択部１８は、移動端末１０１が待ち受けをしているアプリケーションが必要とする帯域の有無を判別する（ステップＳ１０１０）。【０１４８】
移動端末１０１の無線システム選択部１８は、帯域を必要としないアプリケーションで着信を待っている場合は、狭帯域（帯域小）の無線システム（無線基地局８３、位置登録エリア１５０）を選択する。そして、移動端末１０１は無線システム選択部１８が選択した狭帯域の３Ｇを捕捉して待ち受け状態になる（ステップＳ１０２０）。【０１４９】
一方、移動端末１０１の無線システム選択部１８は、帯域を必要とするアプリケーションで着信を待っている場合は、広帯域（帯域大）の無線システム（アクセスポイント９３、位置登録エリア１６１等）を選択する。そして、移動端末１０１は無線システム選択部１８が選択した狭帯域の４Ｇを捕捉して待ち受け状態になる（ステップＳ１０３０）。移動端末１０１は、実施の形態１の図３で説明した処理と同様の処理オーバレイした無線システム間に亘った位置登録エリアを識別しながら移動する。【０１５０】
このように、移動端末１０１が無線システム選択部１８を備えるので、アプリケーションが必要とする帯域に応じて位置登録を行うことができ、待ち受け状態となる無線システムを選択することが可能となる。【０１５１】
このように実施の形態８によれば、アプリケーションが必要とする帯域に応じて位置登録を行い、待ち受け状態となる無線システムを選択するので、移動端末１０１と無線システム間の位置登録信号を削減するとともに着信時にアプリケーションが必要とする帯域に応じた無線システムで通信することが可能となる。
【産業上の利用可能性】
【０１５２】
以上のように、本発明にかかる通信ネットワークシステムおよび移動端末は、異種無線アクセスシステムにおける移動端末の位置登録に適している。
【図１】
0004527149.tif 000002
【図２】
0004527149.tif 000003
【図３】
0004527149.tif 000004
【図４】
0004527149.tif 000005
【図５】
0004527149.tif 000006
【図６】
0004527149.tif 000007
【図７】
0004527149.tif 000008
【図８】
0004527149.tif 000009
【図９】
0004527149.tif 000010
【図１０】
0004527149.tif 000011
【図１１】
0004527149.tif 000012
【図１２】
0004527149.tif 000013
【図１３】
0004527149.tif 000014
【図１４】
0004527149.tif 000015
【図１５】
0004527149.tif 000016
【図１６】
0004527149.tif 000017
【図１７】
0004527149.tif 000018
【図１８】
0004527149.tif 000019
【図１９】
0004527149.tif 000020
【図２０】
0004527149.tif 000021